(57)【要約】  ペイントあるいはインク用のブラシあるいはアプリケータシステムのための、可撓性のバレル形式のリザーバを含む改良された流体制御システムあるいは弁システムが提供される。流体制御システムあるいは弁システムは、ボール弁形式、トランペット形式あるいはダックビル形式のものであり得、ユーザーがリザーバを絞ることにより加えられる圧力に応答して流体流れを適切に制限することにより、ユーザーによる、可撓性のバレル型リザーバからブラシあるいはアプリケータ先端への流体流れの調整を助成する。
2007502704.tif 000002
【特許請求の範囲】
【請求項１】
液体アプリケータであって、
液体を収受するための可撓性のリザーバにして、フェルールに連結した開放端部を有し、フェルールと開放端部との間に弁アセンブリが配置されるリザーバを含み、
前記弁アセンブリが、リザーバに向けた近位端部と、フェルールに向けた遠位端部とを含むカラーを含み、該カラーが、リザーバとフェルールとの間を連通させる段付き通路にして、前記カラーの近位端部と遠位端部との間に狭幅の中央部分を有する段付き通路を含み、
前記カラーの近位端部が弁部材とリテーナとを受け、前記弁部材がリテーナと前記カラーの中央部分との間に捕捉され、
カラーの遠位端部がピンシールを受け、該ピンシールが、リザーバに向けた中実の近位端部と、フェルールに向けた遠位端部とを含むシャフトを含み、
シャフトの遠位端部が軸方向長孔を含み、ピンシールが、前記シャフトの近位端部が弁アセンブリの段付き通路の中央部分に配置され、かくして弁アセンブリを通る流体流れを阻止する閉位置と、前記軸方向長孔の少なくとも一部分が前記中央部分に配置され、かくして前記段付き通路を通る流体の制限流れを許容する開位置との間で可動である液体アプリケータ。
【請求項２】
弁部材がリテーナに抗して閉位置に偏倚され、該弁部材が、リザーバが絞られてリザーバ内の圧力が増大されると弁座から離間して開位置に移動する請求項１の液体アプリケータ。
【請求項３】
弁部材がボールである請求項１の液体アプリケータ。
【請求項４】
ボールと、カラーの中央部分との間に捕捉されたバネを更に含む請求項３の液体アプリケータ。
【請求項５】
弁部材が透過性の胴部を含んでいる請求項１の液体アプリケータ。
【請求項６】
透過性の胴部が繊維あるいはフォーム材製の胴部である請求項５の液体アプリケータ。
【請求項７】
弁部材がトランペット弁である請求項１の液体アプリケータ。
【請求項８】
トランペット弁が、フレア付きの遠位端部と、フランジ付きの近位端部と、前記遠位端部と近位端部との間に配置されたテーパ付きの中央部分とを含み、リテーナが、遠位端部と、近位端部と、該近位端部を貫いて伸延するテーパ付きの通路とを含み、該リテーナの遠位端部が、トランペット弁のフレア付きの座部として作用し、トランペット弁の中央部分が、該トランペット弁のフランジ付きの近位端部と、リテーナの近位端部との間に捕捉されたバネを通過してトランペット弁の前記フレア付きの遠位端部をリテーナの遠位端部に抗して偏倚させる請求項７の液体アプリケータ。
【請求項９】
ピンシールのシャフトの遠位端部が、カラーの遠位端部内に収受されたフランジに連結されている請求項１の液体アプリケータ。
【請求項１０】
ピンシールのフランジが、シャフトの軸方向長孔と整列する長孔を含んでいる請求項９の液体アプリケータ。
【請求項１１】
フェルールと、カラーの遠位端部との間に配置した制限体を更に含む請求項１の液体アプリケータ。
【請求項１２】
フェルールと、カラーの遠位端部との間に配置した透過性の毛束要素を更に含む請求項１の液体アプリケータ。
【請求項１３】
透過性の毛束要素と、カラーの遠位端部との間に配置した制限体要素を更に含む請求項１２の液体アプリケータ。
【請求項１４】
アプリケータがペイントブラシあるいはインクブラシである請求項１の液体アプリケータ。
【請求項１５】
ペイントあるいはインク用のブラシであって、
液体を収受するための可撓性のリザーバにして、フェルールに連結した開放端部を有し、フェルールと、該開放端部との間に、弁アセンブリと、毛束付きのブラシ要素とが配置されるリザーバと、を含み、
前記弁アセンブリが、リザーバに面する近位端部と、フェルールに面する遠位端部とを含むカラーを含み、該カラーが、リザーバとフェルールとの間を連通させる段付き通路にして、前記カラーの近位端部と遠位端部との間に狭幅の中央部分を有する段付き通路を含み、
前記カラーの近位端部が弁部材とリテーナとを受け、前記弁部材がリテーナと前記カラーの中央部分との間に捕捉され、弁部材が、閉位置においては偏倚されて弁座に押し付けられ、前記可撓性のリザーバが絞られてリザーバ内の圧力が増大されると弁座から離間して開位置に移動し、
カラーの遠位端部がピンシールを受け、該ピンシールが、リザーバに向けた中実の近位端部と、フェルールに向けた遠位端部とを含むシャフトを含み、
シャフトの遠位端部が軸方向長孔を含み、ピンシールが、前記シャフトの近位端部が弁アセンブリの段付き通路の中央部分に配置され、かくして弁アセンブリを通る流体流れを阻止する閉位置と、前記軸方向長孔の少なくとも一部分が前記中央部分に配置され、かくして前記段付き通路を通る流体の制限流れを許容する開位置との間で可動であり、
毛束付きのブラシ要素が弁アセンブリとフェルールとの間に配置されるペイントあるいはインク用のブラシ。
【請求項１６】
弁部材がボールである請求項１５のペイントあるいはインク用のブラシ。
【請求項１７】
ボールと、カラーの中央部分との間に捕捉されたバネを更に含む請求項１６のペイントあるいはインク用のブラシ。
【請求項１８】
弁部材が透過性の胴部を含む請求項１５のペイントあるいはインク用のブラシ。
【請求項１９】
透過性の胴部が繊維あるいはフォーム材製の胴部である請求項１８のペイントあるいはインク用のブラシ。
【請求項２０】
弁部材がトランペット弁である請求項１５のペイントあるいはインク用のブラシ。
【請求項２１】
トランペット弁が、
フレア付きの遠位端部と、フランジ付きの近位端部と、前記遠位端部と近位端部との間に配置されたテーパ付きの中央部分とを含み、リテーナが、遠位端部と、近位端部と、該近位端部を貫いて伸延するテーパ付きの通路とを含み、該リテーナの遠位端部が、トランペット弁のフレア付きの座部として作用し、トランペット弁の中央部分が、該トランペット弁のフランジ付きの近位端部と、リテーナの近位端部との間に捕捉されたバネを通過してトランペット弁の前記フレア付きの遠位端部をリテーナの遠位端部に抗して偏倚させる請求項２０のペイントあるいはインク用のブラシ。
【請求項２２】
ピンシールのシャフトの遠位端部が、カラーの遠位端部内に収受されたフランジに連結されている請求項１５のペイントあるいはインク用のブラシ。
【請求項２３】
ピンシールのフランジが、シャフトの軸方向長孔と整列する長孔を含んでいる請求項２２のペイントあるいはインク用のブラシ。
【請求項２４】
フェルールと、カラーの遠位端部との間に配置した制限体を更に含む請求項１５のペイントあるいはインク用のブラシ。
【請求項２５】
ペイントあるいはインク用のブラシであって、
ペイントあるいはインクを収受するための可撓性のリザーバにして、フェルールに連結した開放端部を有し、フェルール及び該開放端部との間に毛束付きのブラシ要素が配置されるリザーバを含み、
前記弁アセンブリが、リザーバに面する近位端部と、フェルールに面する遠位端部とを含むカラーを含み、該カラーが、リザーバとフェルールとの間を連通させる段付き通路にして、前記カラーの近位端部と遠位端部との間に狭幅の中央部分を有する段付き通路を含み、
前記カラーの近位端部が透過性の弁部材を受け、
前記毛束付きのブラシ要素が、弁アセンブリとフェルールとの間に配置され、
カラーの遠位端部がピンシールを受け、該ピンシールが、リザーバに向いた中実の近位端部と、フェルールに向いた遠位端部とを含むシャフトを含み、
シャフトの遠位端部が軸方向長孔を含み、ピンシールが、前記シャフトの近位端部がカラーの中央部分に配置され、かくして該カラーを通る流体流れを阻止する閉位置と、前記軸方向長孔の少なくとも一部分が前記中央部分に配置され、かくして前記カラーを通る流体の制限流れを許容する開位置との間で可動であるペイントあるいはインク用のブラシ。
【請求項２６】
カラーの近位端部内に受けられたリテーナを更に含み、カラーの通路の中央部分とリテーナとの間に透過性の弁部材が捕捉される請求項２５のペイントあるいはインク用のブラシ。
【請求項２７】
透過性の弁部材が繊維あるいはフォーム材製の胴部である請求項２５のペイントあるいはインク用のブラシ。
【請求項２８】
ピンシールのシャフトの遠位端部が、カラーの遠位端部内に収受されたフランジに連結される請求項２５のペイントあるいはインク用のブラシ。
【請求項２９】
ピンシールのフランジが、シャフトの軸方向長孔と整列する長孔を有する請求項２８のペイントあるいはインク用のブラシ。
【請求項３０】
毛束付きのブラシ要素とカラーの遠位端部との間に配置された制限体要素を更に含む請求項２５のペイントあるいはインク用のブラシ。
【発明の詳細な説明】
【技術分野】
【０００１】
本発明は、米国仮特許出願番号第６０/４９６，３００号の利益を主張するものである。本発明は一体型の流体（即ちペイント）リザーバに関する。一実施例において、ペイントあるいはインク用のブラシが開示され、このブラシが流体リザーバとブラシあるいはアプリケータ先端部との間に制御弁システムを含んでいる。ペイント、インクその他の流体が、リザーバを確定する可撓性のバレルを絞ることによってリザーバから移行され、次いで、前記制御弁機構の一つを通して流動した後、ブラシあるいはアプリケータ先端部に向けて流動する。
【背景技術】
【０００２】
ペイント塗布用の刷毛あるいはインク筆のようなブラシを使用する場合、アーチストは代表的には、数多くのブラシを、様々な色のペイントを載せたパレットと組み合わせて使用する。この方式は数世紀に渡り用いられてきているが、現在、ペイントリザーバをブラシに連結した、パレットを別に用意する必要の無いペイントブラシが求められている。水彩ペイントは水に溶解すると比較的低粘度化することから、そうしたペイントブラシは特に水彩ペイント分野において有益であるが、ブラシへのペイントあるいはインクの流れを制御する上で尚、問題がある。
ブラシに水彩ペイントを送る際に要求される制御をアーティストに提供する信頼できる流体制御システムが必要とされ、かくして、この特定目的のために改良された流体制御システムが必要とされる。また、子供や不慣れなユーザーがリザーバを過剰な力で絞った場合にも、インクを噴出させることなく適量のインクを流動させることのできる流体制御システムも望まれている。
【０００３】
改良された流体制御システムは、流体がブラシやアプリケータ先端部及びその他形式のアプリケータに連結したリザーバに貯蔵される別の分野で使用することも予想される。リザーバからブラシあるいはアプリケータへの流体流量の制御は不可欠である。なぜなら、流量が不十分であるとユーザーは欲求不満となり、素材に塗布する材料を入れた壺や容器に単にブラシを浸す、あるいは別のパレットを使う今までの方法に戻したくなるからである。流量が多過ぎた場合も、最終製品あるいは最終加工物を損傷しかねないことからユーザーはやはり欲求不満となる。
【発明の開示】
【発明が解決しようとする課題】
【０００４】
リザーバとブラシあるいはアプリケータを組み合わせた、リザーバからブラシあるいはアプリケータへの所望の流体送りを容易化するための改良された流体制御システムに対する要望を実現することである。
【課題を解決するための手段】
【０００５】
可撓性のバレルリザーバと、ブラシあるいはアプリケータ先端部との間に配置される、前記要望を満たす改良された弁機構システムが提供される。
一実施例では、液体を収受する可撓性のリザーバを含む液体アプリケータが開示される。リザーバはフェルールに、このフェルールとの間に配置した弁アセンブリを用いて連結した開放端を含む。弁アセンブリは、リザーバに面する近位端部と、フェルールに面する遠位端部とを含むカラーを含み、カラーは、このカラーを貫いて伸延する、リザーバとフェルールとの間を連通する段付き通路を含む。段付き通路はカラーの前記近位端部と遠位端部との間の位置に狭幅の中央部分を有する。カラーの近位端部は弁部材とリテーナとを受け、その際、このリテーナと前記狭幅の中央部分との間に弁部材が捕捉される。
【０００６】
改良例ではカラーの遠位端部はピンシールを受ける。ピンシールは、リザーバに向けられた中実の近位端部と、フェルールに向けられた遠位端部とを有するシャフトを含み、シャフトの遠位端部には軸方向長孔が含まれる。ピンシールは、シャフトの近位端部がカラーの中央部分内に配置されてこの中央部分を貫く流れを阻止する閉位置と、シャフトの少なくとも一部分がカラーの中央部分内に配置されてこの中央部分を貫く流れを制限下に許容する閉位置との間を可動である。
一実施例では弁アセンブリはボール弁アセンブリであり、別の実施例ではトランペット弁アセンブリであり、更に他の実施例では、カラーを貫く流体流れを制限下に許容する繊維あるいはフォーム材製のプラグのような透過性胴部を含んでいる。
ボール弁アセンブリあるいはトランペット弁アセンブリを備えた実施例では、ベール弁あるいはトランペット弁のような弁部材はバネにより偏倚されて弁座あるいはリテーナに押し付けられる。
【０００７】
改良例では、ピンシールのシャフトの遠位端部が、カラーの遠位端部に収受されたフランジに結合される。フランジが、ピンシールのシャフトの遠位端部の軸方向長孔と整列した長孔をも含むことが好ましい。
或る実施例ではフェルールとカラーの遠位端部との間、詳しくは、ブラシの毛束要素とブラシの遠位端部との間に制限要素が配置され得る。
上述したデザインはブラシあるいは毛束アプリケータ要素を用いる液体アプリケータに適用することができる。そうした液体アプリケータはペイントやインク用の各ブラシに対して特に適用され得るが、その他にも使用可能である。
【０００８】
更に他の実施例では、ボール弁が可撓性のバレルリザーバと毛束ブラシあるいはアプリケータとの間に配置される。ボール弁は、バレルリザーバに面する近位側部と、ボールを受けるための遠位側部とを有するリテーナあるいはシールを含む。ボールを偏倚させて弁座と係合させるためのバネを用い得る。もしそうしたバネを使用する場合、バネとボールとは弁座とカラーとの間に挟持される。ボールと、随意的なバネと、弁座とは全て、バレルリザーバとブラシあるいはアプリケータ先端部との間に配置したカラー内に配置される。ピンシールはブラシに面する側でカラーの端部内に配置される。ユーザーが可撓性のバレルリザーバを絞ると、バレルリザーバ内に圧力が発生し、発生した圧力は環状の弁座を経てボールに伝達される。この圧力によってボールがバレルリザーバから離れ、ブラシあるいはアプリケータ先端部に向けて移動すると、流体が弁座を貫き、ボールを越えて移動する。ボールは、過剰な力が加えられるとカラーの内壁に押し付けられ、ブラシからペイントが吹き出すのを防止する。
【０００９】
カラー内にはピンシールが配置され、このピンシールが、ピンシールを越え、ボールを越え、カラーを貫いて流動する流体に要求される制限を加える。ピンシールは、シャフト部分に同中心状態で連結したフランジ部分を含み得る。シャフト部分は近位方向に面するあるいはボール及びバレルリザーバ方向を向いている。
ピンシールのシャフト部分とフランジ部分とは、十分な量の流体がブラシあるいはアプリケータ先端部に流動できるようにするための長孔あるいは凹所を含み得る。
実施例ではピンシールは、このピンシールが座着する前にバレルリザーバからの流体が弁を越えないことを保証するために、初期において閉鎖位置に配置される。
他の実施例では、流体流れに対する制限体が排除され得、ペイント流れはカラーの開口部によって制限される。
【００１０】
他の実施例ではバネあるいは偏倚要素は設けられず、ボールはバレルリザーバ内の圧力に応じて開閉の各位置間を揺動する。バレルリザーバを絞り、そして釈放することで圧力を増減させることにより、インク流れが制御され、インクの噴出が防止される。
他の実施例ではフレア付きのニードル弁あるいはトランペット弁がボール弁に代えて使用され得る。ニードル弁あるいはトランペット弁はカラーの相当部分内に受けられるラッパ状の端部を含み、フランジ付きの近位端部がバレルリザーバ内に配置され、この近位端部とカラーとの間に配置したバネによって閉位置に偏倚される。ユーザーがバレルリザーバ内に圧力を生じさせるとニードル弁あるいはトランペット弁がバネの偏倚力に抗して遠位方向に移動し、カラーを通る流体流れを許容する。先に説明したと類似の、しかし必ずしも同じではないピンシールが、カラーを貫いてアプリケータあるいはブラシに向かう、あるいはカラーを貫き制限体を通過してアプリケータあるいはブラシに向かう流体流れを更に制御する。
更に他の実施例では、ブラシあるいはアプリケータ先端を介して様々な表面に塗布されるペイント、水性ペイント、インク、修正液その他類似の流体の排斥量に置換する空気をバレルリザーバ内に流入させ得るダックビル弁がバレルリザーバに設けられる。
更に他の実施例では、先に説明したボール弁あるいはニードル弁あるいはトランペット弁に代えてそうしたダックビル弁が使用される。
【発明を実施するための最良の形態】
【００１１】
図１を参照するに、流体分与装置２０の断面側面図が示され、バレルリザーバ２２の空間を確定する可撓性のバレル２１を含み、ボール弁アセンブリ２４を受けるための、バレルのカラーを構成するバレル遠位端部２３を有している。
ボール弁アセンブリ２４は、このボール弁アセンブリのカラー２７の近位端部２６内に受けられたリテーナあるいは弁座２５を含む。カラー２７は、バレル２１のカラー２７内に受けられたフランジ付きのカラー遠位端部２８を含み、このカラー遠位端部２８は、直径を変化させつつカラー２７を貫いて伸延する段付き中央通路２９を有している。
【００１２】
弁座あるいはリテーナ２５は、バレルリザーバ２２に面するリテーナ近位端部３１と、ボール３３と係合するリテーナ遠位端部３２とを含む。随意的なバネ３４が、ボール３３をリテーナ遠位端部３２に押し付ける。バネ３４、ボール３３、そしてリテーナ２５は全て、カラー２７の段付き中央通路２９内に受けられる。この段付き中央通路２９にはピンシール３５が設けられる。ピンシール３５は遠位フランジ３７に連結したシャフト３６を含む。シャフト３６及び遠位フランジ３７は、バレルリザーバ２２を出、弁システム２４を通して図示しないブラシあるいはアプリケータ先端部に向かう流体流れを容易化し且つ制限する凹所あるいは長孔あるいは溝３８及び３９を夫々有する。
【００１３】
図１に示す位置ではボール弁アセンブリ２４は、ボール３３がバネ３４の偏倚力に打ち勝ってリテーナ２５から若干離れた開位置状態にある。この場合ボール弁アセンブリ２４は、ユーザーがバレル２１を絞った際にバレルリザーバ２２内に生じた圧力によってリテーナ２５の中央開口４１を通る流体流れが生じ、この流れがボール３３をリテーナ遠位端部３２から押し出し、かくしてバネ３４の偏倚力に打ち勝つことにより前記開位置となる。バネ３４は随意的なものであり、バレル２１を絞ることによりバレルリザーバ２２内に生じる圧力はボールをリテーナ２５から離座させるためにも使用され得る。流体は次いでリテーナ２５を貫いて段付き中央通路２９に流入する。
【００１４】
流体がピンシール３５を越えてアプリケータあるいはブラシ（図示せず）に向けて流動することができるよう、ピンシール３５が、図１のシャフト３６が段付き中央通路２９をシールする閉位置から、図２の凹所あるいは長孔あるいは溝３８と、シャフト３６及び遠位フランジ３７間の間隙とによって段付き中央通路２９を貫いてシャフト３６を越えての流体連通が可能とされる開位置へと移動される。バレルリザーバ２２内の圧力が過剰になるとピンシール３５は閉位置に移動せしめられる。この場合、ピンシール３５は図２に示す開位置にリセットされ得る。同様に、ボール３３は過剰の圧力を受けるあるいはそうした圧力が生じるとカラー２７の段部４３に座着され、これによりカラー２７を通るペイントの過剰流れあるいは噴出が防止される。
ボール３３が、バレルリザーバ２２内の圧力が釈放されるとリテーナ２５に自ら“再座着”する傾向が有ることから、バネ３４は随意的なものである。図２に示す開位置ではピンシール３５の遠位フランジ３７及びシャフト３６を越えての流体流れは凹所あるいは長孔あるいは溝３８、３９によって容易化される。
【００１５】
図３にはブラシアプリケータ５０が示され、改変されたボール弁アセンブリ２４ａを含んでいる。詳しく説明すると、ブラシアプリケータ５０は、ボール弁アセンブリ２４ａ、パイロットあるいは制限体５２、ブラシあるいはアプリケータ端部５３、支持体あるいはホルダ５４、そして、フォーム材あるいは繊維性材料から作製し得るバッファ５５と共にフェルール５１に螺着した可撓性のバレル２１ａを含んでいる。バネ３４はこの実施例では排除されている。上部あるいはキャップが番号５６で示される。ボール弁アセンブリ２４ａの詳細は図４〜図１５に示される。
【００１６】
図４及び図５にはパイロットあるいは制限体５２が示される。制限体５２は、カラー２７ａのカラー遠位端部２８ａ（図１２及び図１３参照）内に受けられた小さい環状近位部分６２と、ホルダ５４（図３参照）の近位端部内に受けられた、大きい環状遠位部分６３との間に配置した中央フランジ６１を含み、制限体５２を貫いて中央通路６４が伸延される。
【００１７】
図６〜図９にはピンシール３５ａの詳細が示される。詳しくは、ピンシール３５ａは、遠位フランジ３７ａに連結したシャフト３６ａを含んでいる。Ｖ字形状の凹所あるいは長孔あるいは溝３８ａが、少なくとも部分的にシャフト３６ａを貫いて伸延し、図６〜図９に示すように遠位フランジ３７ａを少なくとも部分的に貫いて伸延するＶ字型の長孔３９ａに入り込んでいる。凹所あるいは長孔あるいは溝３８ａ、３９ａは遠位側方向への、あるいはバレル２１とブラシあるいはアプリケータ端部５３との間部分への流体の流動を容易化する。
【００１８】
図１０及び図１１を参照するに、弁座あるいはリテーナ２５ａの詳細が示される。リテーナ２５ａは、ボール弁アセンブリ２４ａを貫いて流体を通過させるための中央開口４１ａを含んでいる。リテーナ２５ａは、図１２に示すようにカラー２７ａのカラー近位端部２６ａ内に受けられる。図１２を尚参照するに、カラー２７ａを貫いて伸延する段付き通路部分が以下の如く、即ち、制限体５２の環状近位部分６２を受ける部分２９ａと、随意的なバネ３４ａ（図３及び図１５参照）を受ける部分２９ｂと、ボール３３ａ（図１４参照）を受ける部分２９ｃと、リテーナ２５ａを受ける部分２９ｄとに分けられる。
この実施例では、可撓性のバレル２１ａが釈放されるとボール３３ａがリテーナ２５ａに抗してリセットされることから、バネ３４ａは排除される。また別の実施例では、ボール３４ａ（あるいは３４）は図１６に示すフィルターあるいはバッファ６５に代替させ得る。フィルターあるいはバッファ６５はフォーム材、繊維性材料あるいはその他の多孔質材料製のものであり得る。
【００１９】
図１７及び図１８には別の実施例が示され、バレル２１ｂがトランペット弁アセンブリあるいはニードル弁アセンブリ２４ｂに連結されている。トランペット弁アセンブリ２４ｂのカラー２７ｂはバレル２１ｂのバレル遠位端部２３ｂ内に受けられる。カラー近位端部２６ｂはトランペット弁３３ｂを受けるべく形状付けされたリテーナ２５ｂに連結される。トランペット弁３３ｂは、フレア付きのトランペット弁遠位端部７１と、フランジ付きのトランペット弁近位端部７２とを含み、このトランペット弁近位端部７２と、リテーナ２５ｂとの間には、トランペット弁３３ｂを図１７に示すような閉位置に偏倚させるバネ３４ｂが配置される。ユーザーがバレルリザーバ２２ｂ内に圧力を生じさせるとトランペット弁３３ｂが遠位方向（図１７で左側方向）の図示しない開位置に移動する。カラー２７ｂは、トランペット弁遠位端部７１と、ピンシール３５ｂとを受ける段付き中央通路７３をも含む。図１及び図２に示すピンシール３５及び図３及び図６〜図９に示すピンシール３５ａと同様に、ピンシール３５ｂもフランジ付きの端部、即ち遠位フランジ３７ｂとシャフト３６ｂとを含む。
【００２０】
先に説明した実施例における如く、遠位方向への流体移動を容易化し且つ制御するための凹所あるいは長孔あるいは溝３８ｂ、３９ｂがシャフト３６ｂ及び遠位フランジ３７ｂ内に配置される。ピンシール３５ｂは図１７では開位置で示され、流体は凹所あるいは長孔あるいは溝３８ｂ、３９ｂによってピンシール３５ｂを越えて流動可能とされている。ピンシール３５ｂはその初期の閉位置では図１７で左側に移動して段付き中央通路７３の狭幅部分７３’を止栓する。そして図１７に示す開位置では、ピンシール３５ｂのシャフト３６ｂは、開放した弁２４ｂを通る流体流れを更に制限するあるいは制御するためのコップ状のあるいはＣ字型のシャフト近位端部７４を含む。
【００２１】
図１８にはバレル２１ｃに組み込むことのできるダックビル弁８０が例示される。詳しくは、バレル近位端部８１の位置に、ダックビル弁８０を受けるための中央開口を有する凹所８２を設け得る。ダックビル弁８０のフランジ付き近位部分８３がこの凹所８２内に受けられ且つ固定され、また、ダックビル弁８０の中空のシャフト部分８４が凹所内の開口８５を貫いて伸延される。中空のシャフト部分８４はダックビル弁要素８６位置で終端される。ダックビル弁要素８６は、バレル２１ｃ内に圧力が発生されると開放し、ダックビル弁８０を通してバレル２１ｃに入る空気流れを許容する。
【００２２】
図１９にはバレル２１ｄとカラー２７ｄの出口との間の流体流れを制御するための制御弁として使用される他のダックビル弁９０が例示される。詳しくは、カラー近位端部２６ｄが、ダックビル弁９０のフランジ部分９１がこのカラー近位端部２６ｄと係合する状態下にダックビル弁９０を受ける。ダックビル弁９０の中空シャフト部分９２は、段付き中央通路９３内に受けられ且つダックビル弁の番号９４で示す位置で終端する。バレル２１ｄ内部の圧力によりダックビル弁が開放されると流体はカラー２７ｄに流入し、ピンシール３５ｄを越えて流動することが出来るようになる。ピンシール３５ｄはシャフト３６ｄと遠位フランジ３７ｄとを含み、これらシャフト３６ｄ及び遠位フランジ３７ｄは凹所あるいは長孔あるいは溝３８ｄ、３９ｄをも夫々含む。ピンシール３５ｄのシャフト部分３６ｄは、ダックビル弁９４が開放した場合にカラー２７ｄを貫いて流動する流体流れを更に制御あるいは制限するためのコップ状あるいはＣ字型のシャフト近位端部７４ｄをも含む。
図１８及び１９に示すダックビル弁８０、９０の詳細は当業者に明らかであるからここでは説明されない。
以上、本発明を実施例を参照して説明したが、本発明の内で種々の変更をなし得ることを理解されたい。
【図面の簡単な説明】
【００２３】
【図１】本発明に従う流体分与装置の、特に、可撓性のバレルのバレルリザーバを出てボール弁システムを通して流体を移行させるためのこれらバレルリザーバ及びボール弁システムを、弁が閉位置にある状態で例示する断面図である。
【図２】図１の弁が開位置にある状態を示す部分断面図である。
【図３】本発明に従う好ましい流体塗布装置の分解斜視図である。
【図４】図３の流体塗布装置のパイロットあるいは制限体の側面図である。
【図５】図４の制限体の平面図である。
【図６】図３の流体塗布装置のピンシールの斜視図である。
【図７】図６のピンシールの左側からの端面図である。
【図８】図６のピンシールの側面図である。
【図９】図６のピンシールの右側からの端面図である。
【図１０】図３の流体塗布装置のリテーナあるいは弁座の部分断面側面図である。
【図１１】図１０のリテーナあるいは弁座の平面図である。
【図１２】図３の流体塗布装置の部分断面側面図である。
【図１３】図１２の端面図である。
【図１４】図３の流体塗布装置のボール弁あるいは球状弁の平面図である。
【図１５】図３の流体塗布装置のボール弁システムの随意的なバネの側面図である。
【図１６】図１及び図３に示す各実施例におけるボール３３、３３ａ、随意的なバネ３４、３４ａに代えて使用し得る繊維性のフィルター要素の側面図である。
【図１７】図１及び図３に示すものと類似の、流体分与装置のための別態様における弁システムの部分断面側面図である。
【図１８】本発明に従う流体分与装置の、特にバレル内に空気を導入するために組み込んだダックビル弁を例示する部分断面側面図である。
【図１９】図１、図３、図１６に示すと類似の、流体分与装置のための更に他の別態様における弁システムの部分断面側面図である。
【符号の説明】
【００２４】
２０  流体分与装置
２１、２１ａ、２１ｃ、２１ｄ  バレル
２２、２２ｂ  バレルリザーバ
２３、２３ｂ、２７ｄ  バレル遠位端部
２４、２４ａ  ボール弁アセンブリ
２４ｂ  トランペット弁アセンブリ
２５、２５ａ、３２  リテーナ
２６、２６ａ、２６ｂ、  弁アセンブリ近位端部
２７、２７ａ、２７ｂ  カラー
２８、２８ａ  リテーナ遠位端部
２９、７３、９３  段付き中央通路
３１  リテーナ近位端部
３３、３３ａ  ボール
３３ｂ  トランペット弁
３４、３４ａ、３４ｂ  バネ
３５、３５ａ、３５ｂ  ピンシール
３６、３６ａ、３６ｂ  シャフト
３７、３７ａ、３７ｂ  遠位フランジ
３８、３８ａ、３８ｂ、３９ｂ、３９ｄ、８２  凹所
４１、４１ａ  中央開口
４３  段部
５０  ブラシアプリケータ
５１  フェルール
５２  制限体
５３  アプリケータ端部
５４  ホルダ
５５、６５  バッファ
５６  キャップ
６１  中央フランジ
６２  環状近位部分
６３  環状遠位部分
６４  中央通路
７１  トランペット弁遠位端部
７２  トランペット弁近位端部
７３’  狭幅部分
７４、７４ｄ  シャフト近位端部
８０  ダックビル弁
８１  バレル近位端部
８３  フランジ付き近位部分
８４  シャフト部分
８５  開口
８６  ダックビル弁要素
９０  ダックビル弁
９１  フランジ部分
９２  中空シャフト部分
【図１】
2007502704.tif 000003
【図２】
2007502704.tif 000004
【図３】
2007502704.tif 000005
【図４】
2007502704.tif 000006
【図５】
2007502704.tif 000007
【図６】
2007502704.tif 000008
【図７】
2007502704.tif 000009
【図８】
2007502704.tif 000010
【図９】
2007502704.tif 000011
【図１０】
2007502704.tif 000012
【図１１】
2007502704.tif 000013
【図１２】
2007502704.tif 000014
【図１３】
2007502704.tif 000015
【図１４】
2007502704.tif 000016
【図１５】
2007502704.tif 000017
【図１６】
2007502704.tif 000018
【図１７】
2007502704.tif 000019
【図１８】
2007502704.tif 000020
【図１９】
2007502704.tif 000021
【国際調査報告】
2007502704.tif 000022
2007502704.tif 000023
2007502704.tif 000024